(57)【特許請求の範囲】
【請求項１】
先端側が地山中に定着され、頭部側が斜面表面に固定される複数のアンカーを切,盛土法面や土留め擁壁などの斜面地山中に埋設することにより補強する斜面安定化工法において、
前記アンカーは、多数の貫通集水孔を有する中空管体と、
前記中空管体の先端側定着部以外の部分の外周に設けられる透水性を有する排水材とを備え、
前記中空管体を先端側が頭部側よりも上方に位置するように地山中に打設し、地山中の地下水を前記排水材と集水孔とを介して前記中空管体内に取り込んだ後に、前記中空管体内を流下させて外部に排出する斜面安定化工法であって、
前記中空管体は、内周および外周面に、周方向に所定の間隔を隔てて外方に突出し、かつ、軸方向に延設された複数の補強用リブを有し、
前記アンカーは、地山中に形成された削孔内に、前記排水材および前記中空管体を挿入設置し、しかる後に、前記中空管体内に設置した注入パイプを介して、前記中空管体の先端側から地山に向けてグラウト材を注入,硬化させることで、その先端側を地山中に定着させることを特徴とする斜面安定化工法。
【発明の詳細な説明】
【０００１】
【発明の属する技術分野】
この発明は、斜面安定化工法に関し、特に、地山の抑止補強工と地下水の排水工とを同時に施工することができる斜面安定化工法に関するものである。
【０００２】
【従来の技術】
切,盛土法面や土留め擁壁などの斜面安定化対策においては、アンカーを地山中に埋設して、地山の崩壊を抑止補強する地山補強土工法やグラウンドアンカー工法などが知られている。
【０００３】
ところで、この種の地山の崩壊要因には、種々の要因が想定されているが、地山中の間隙水圧の存在もその要因の1つとなっており、従来は、地山の抑止補強工とは別に、地山中の間隙水圧を低下させる排水工を施工していた。
【０００４】
この排水工は、例えば、地山補強土工法によりアンカー(引張材)を正方形ピッチで施工した後に、アンカーの間に排水用の水抜きボーリング孔を穿孔していた。
【０００５】
しかしながら、このような従来の斜面安定化工法には、以下に説明する技術的な課題があった。
【０００６】
【発明が解決しようとする課題】
すなわち、前述した従来の斜面安定化工法では、アンカー埋設用と水抜き用の複数の削孔が必要になり、これらの削孔の大きさや方向ないしは深度がそれぞれ異なるので、削孔が複雑になり、施工工数も増大化する。
【０００７】
また、一般に、地山補強土工などのアンカー本数に比べて、水抜きボーリング孔は、ピッチが粗く、施工本数が少なくなるため、地下水の排除が不十分になるという問題もあった。
【０００８】
本発明は、このような従来の問題点に鑑みてなされたものであって、その目的とするところは、地下水の排除効果が十分得られ、しかも、施工コストの大幅な削減が可能になる斜面安定化工法を提供することにある。
【０００９】
【課題を解決するための手段】
上記目的を達成するために、本発明は、先端側が地山中に定着され、頭部側が斜面表面に固定される複数のアンカーを切,盛土法面や土留め擁壁などの斜面地山中に埋設することにより補強する斜面安定化工法において、前記アンカーは、多数の貫通集水孔を有する中空管体と、前記中空管体の先端側定着部以外の部分の外周に設けられる透水性を有する排水材とを備え、前記中空管体を先端側が頭部側よりも上方に位置するように地山中に打設し、地山中の地下水を前記排水材と集水孔とを介して前記中空管体内に取り込んだ後に、前記中空管体内を流下させて外部に排出する斜面安定化工法であって、前記中空管体は、内周および外周面に、周方向に所定の間隔を隔てて外方に突出し、かつ、軸方向に延設された複数の補強用リブを有し、  前記アンカーは、地山中に形成された削孔内に、前記排水材および前記中空管体を挿入設置し、しかる後に、前記中空管体内に設置した注入パイプを介して、前記中空管体の先端側から地山に向けてグラウト材を注入,硬化させることで、その先端側を地山中に定着させるようにした。
このように構成した斜面安定化工法によれば、切,盛土法面や土留め擁壁などの斜面に、先端側が地山中に定着され、頭部側が斜面表面に固定される地山補強用のアンカーは、多数の貫通集水孔を有する中空管体と、中空管体の先端側定着部以外の部分の外周に設けられる透水性を有する排水材とを備え、中空管体を先端側が頭部側よりも上方に位置するように地山中に打設し、地山中の地下水を排水材と集水孔とを介して中空管体内に取り込んだ後に、前記中空管体内を流下させて外部に排出する。
つまり、本発明のアンカーは、地山の抑止補強工と地下水排水工とを兼ね合わせた機能を備えており、このため、地山に穿設する削孔は、１つで済み、施工能率の向上と施工コストの大幅な削減を図ることができる。
また、アンカーが地山の抑止補強工と地下水排水工とを兼ね合わせた機能を備えているので、結果的に排水工の設置密度を高くすることができ、地山の排水工の効果を増大化することができる。
【００１０】
【発明の実施の形態】
以下、本発明の好適な実施の形態について、添付図面を参照にして詳細に説明する。図１から図７は、本発明にかかる斜面安定化工法の第１実施例を示している。
【００１１】
同図に示した安定化工法は、切,盛土法面や土留め擁壁などの斜面１０の安定化を図るために施工される方法であって、斜面１０には、上下および左右方向に所定の間隔を隔てて複数のアンカー１２が地山１４中に埋設される。
【００１２】
アンカー１２の平面的な配置状態は、例えば、従来の地山補強土工法と同様に正方形ピッチに設定される。また、各アンカー１２は、図３に示すように、先端側が地山１４中に定着され、頭部側が地山表面、すなわち斜面１０の表面に固定される。
【００１３】
本実施例のアンカー１２は、図４にその詳細を示すように、中空管体１６を有している。同図に示した中空管体１６は、両端が開口した中空円筒状の本体１６ａと、中空管体１６の外周面に貫通形成された多数の集水孔１６ｂと、本体１６ａの一端側の外周面に刻設されたネジ部１６ｃとを有している。
【００１４】
また、本実施例のアンカー１２は、図５に示すように、中空管体１６の外周側に設けられる排水材１８を有している。排水材１８は、例えば、不織布などの透水性を備えた部材で中空筒状に形成されていて、中空管体１６の先端側に設けられる定着部以外の部分を覆う長さを有している。
【００１５】
さらに、本実施例のアンカー１２は、図６に示すように、中空管体１６の中間部分に配置されるパッカー２０を有している。このパッカー２０は、中空管体１６の先端側を地山中に定着する際に注入するグラウト材２２が、透水性の排水材１８側に回り込んで、その透水性を損なうことと、中空管体１６内にグラウト材２２が充満して、中空管体１６内の地下水の流通を阻害することを防止するために設けられている。
【００１６】
このため、パッカー２０は、排水材１８の先端側に隣接するように、中空管体１６の外周に配置されるとともに、同じ位置で中空管体１６内を閉塞するように配置されている。
【００１７】
アンカー１２を設置する際には、まず、図１に示すように、斜面１０の表面から地山１４中に削孔２４を形成する。この削孔２４内には、中空管体１６が挿入設置されるが、この際に、中空管体１６の先端側が頭部側よりも若干上方に位置するように、水平よりも上方に向くように、所定の傾斜角度、例えば、５°程度傾斜するように形成される。
【００１８】
削孔２４が形成されると、その内部に、図２に示すように、中空管体１６が挿入設置される。このとき、中空管体１６には、パッカー２０が所定の位置に装着され、内部には、グラウト材２２の注入パイプ２６が設置されている。
【００１９】
排水材１８は、中空管体１６の外周に装着して設置することもできるし、また、中空管体１６を設置して、グラウト材２２を注入した後に、中空管体１６の外周に装着してもよい。
【００２０】
なお、パッカー２０を流体注入により拡径する構造のものを用いる場合には、削孔２４内に、先に排水材１８を挿入設置した後に、パッカー２０を装着した中空管体１６を挿入設置することもできる。
【００２１】
そして、中空管体１６が削孔２４内に設置されると、注入パイプ２６を介して、中空管体１６の先端側にモルタルなどの固化性グラウト材２２を注入し、中空管体１６の外周と地山削孔２４の内周面との間にグラウト材２２を充填して硬化させ、中空管体１６の先端側を地山１４中に定着させる。
【００２２】
そして、中空管体１６の先端側の定着が終了すると、斜面１０から外方に突出している中空管体１６の頭部に定着プレート２８を装着して、中空管体１６のネジ部１６ｃに定着ナット３０を螺着して、斜面１０の表面に固定する(図３参照)。
【００２３】
これによりアンカー１２の主体部分である中空管体１６の先端側が地山中に定着されるとともに、頭部側が斜面１０に固定され、これにより斜面１０の崩壊が抑止補強される。
【００２４】
一方、地山１４中に打設された中空管体１６は、先端側が頭部側よりも上方になるように傾斜状態で設置され、本体１６ａの外周に設置された透水性の排水材１８と、本体１６ａを貫通する集水孔１６ｂとを有しているので、地山１４中の地下水は、排水材１８と集水孔１６ｂとを介して、中空管体１６内に取り込まれ、その後中空管体１６内を流下して、外部に排出される。
【００２５】
さて、以上のようにして行われる斜面安定化工法によれば、アンカー１２は、地山１４の抑止補強工と地下水排水工とを兼ね合わせた機能を備えており、このため、地山１４に穿設する削孔２４は、１つで済み、施工能率の向上と施工コストの大幅な削減を図ることができる。
【００２６】
また、アンカー１２が地山の抑止補強工と地下水排水工とを兼ね合わせた機能を備えているので、結果的に排水工の設置密度を高くすることができ、地山の排水工の効果を増大化することができる。
【００２７】
図８は、上記第１実施例に用いることができる中空管体１６'の変形例を示している。この図に示した中空管体１６’には、集水孔１６ｂ"が貫通形成されるとともに、本体１６ａ'の軸方向に沿って延設された補強用リブ１６ｄが設けられている。
【００２８】
このような補強用リブ１６ｄは、本体１６ａ'の内周面、または、外周面のいずれか一方、ないしは双方の面にそれぞれ複数設けることができる。このような構造の中空管体１６’を用いると、上記第１実施例の作用効果に加えて、補強用リブ１６ｄにより中空管体１６'の軸方向の剛性が大きくなっているので、地山１４の抑止補強効果をより一層強化することができる。
【００３９】
【発明の効果】
以上、実施例で詳細に説明したように、本発明にかかる斜面安定化工法によれば、地下水の排除効果が十分得られ、しかも、施工コストの大幅な削減が可能になる。
【００４０】
【図面の簡単な説明】
【図１】  本発明にかかる斜面安定化工法の第１実施例の初期工程の断面説明図である。
【図２】  図１に引き続いて行われる工程の断面説明図である。
【図３】  図２に引き続いて行われる工程の断面説明図である。
【図４】  上記第１実施例で用いる中空管体の斜視図である。
【図５】  図３のＡ―Ａ線断面図である。
【図６】  図３のＢ―Ｂ線断面図である。
【図７】  図３のＣ―Ｃ線断面図である。
【図８】  上記第１実施例で用いる中空管体の変形例の断面図である。
【図１】
0004296660.tif 000002
【図２】
0004296660.tif 000003
【図３】
0004296660.tif 000004
【図４】
0004296660.tif 000005
【図５】
0004296660.tif 000006
【図６】
0004296660.tif 000007
【図７】
0004296660.tif 000008
【図８】
0004296660.tif 000009